(57)【特許請求の範囲】
【請求項１】
生物内のターゲット領域に経路に沿って介入装置をナビゲートするナビゲーションシステムであって、
第１の介入プロシージャの間、前記生物内の前記介入装置の第１の位置及び形状を決定し記憶する位置及び形状決定ユニットであって、次の第２の介入プロシージャの間、前記生物内の前記介入装置の第２の位置及び形状を決定するようにも構成される位置及び形状決定ユニットと、
前記記憶された第１の位置及び形状並びに前記第２の位置及び形状を利用して、前記第２の介入プロシージャの間、前記第１の介入プロシージャの間に使用された経路と同じ経路に沿って前記介入装置をナビゲートするナビゲーション装置と、
を有するナビゲーションシステム。
【請求項２】
前記位置及び形状決定ユニットは、光学形状検知によって、前記第１及び前記第２の位置及び形状を決定する、請求項１に記載のナビゲーションシステム。
【請求項３】
前記ナビゲーション装置が、
前記記憶された第１の位置及び形状並びに前記第２の位置及び形状を表示するディスプレイと、
前記表示される第１及び第２の位置及び形状に基づいて、前記第２の介入プロシージャの間、ユーザが前記介入装置を移動させることを可能にする、ユーザインタラクションユニットと、
を有する、請求項１に記載のナビゲーションシステム。
【請求項４】
前記ナビゲーションシステムは、少なくとも前記第２の介入プロシージャの間、生物の画像を生成するイメージング装置を更に有し、前記ディスプレイは、前記画像にオーバレイされる前記記憶された第１の位置及び形状並びに前記第２の位置及び形状を示すオーバレイ画像を表示する、請求項３に記載のナビゲーションシステム。
【請求項５】
前記ナビゲーション装置は、前記記憶された第１の位置及び形状を前記第２の位置及び形状と比較し、前記比較に基づいて、前記第２の介入プロシージャの間前記介入装置をナビゲートする、請求項１に記載のナビゲーションシステム。
【請求項６】
前記位置及び形状決定ユニットは、前記第２の介入プロシージャの間、前記第２の位置及び形状を連続的に決定し、前記ナビゲーション装置は、前記記憶された第１の位置及び形状及び実際の第２の位置及び形状に依存して、前記第２の介入プロシージャの間に前記介入装置をナビゲートする、請求項１に記載のナビゲーションシステム。
【請求項７】
前記位置及び形状決定ユニットは、前記第１の介入プロシージャの間に前記介入装置が前記ターゲット領域に到達すると、前記介入装置の前記第１の位置及び形状を決定し、記憶する、請求項１に記載のナビゲーションシステム。
【請求項８】
前記ナビゲーションシステムは、前記第１の位置及び形状がいつ記憶されるべきかをユーザが示すことを可能にするユーザインタフェースを有し、前記位置及び形状決定ユニットは、前記第１の位置及び形状が記憶されるべきであることをユーザが示したとき、前記第１の位置及び形状を記憶する、請求項１に記載のナビゲーションシステム。
【請求項９】
前記ナビゲーション装置が、前記記憶された第１の位置及び形状の一部をユーザが示すことを可能にするユーザインタフェースを有し、前記ナビゲーション装置は、前記第２の介入プロシージャの間、前記記憶された第１の位置及び形状の示された部分並びに前記第２の位置及び形状に基づいて、前記介入装置をナビゲートする、請求項１に記載のナビゲーションシステム。
【請求項１０】
前記位置及び形状決定ユニットは、
前記記憶された第１の位置及び形状と前記第２の位置及び形状との間の類似性の程度を示す類似性尺度が最大にされるように、前記記憶された第１の位置及び形状と前記第２の位置及び形状とを互いに位置合わせし、
前記第１及び第２の介入プロシージャの間、最大にされた類似性尺度に基づいてナビゲーションが同じ経路に沿って実施されるかどうかを決定する、
ように構成される、請求項１に記載のナビゲーションシステム。
【請求項１１】
前記ナビゲーションシステムは、前記生物の内部構造を提供する内部構造提供ユニットを更に有し、前記ナビゲーション装置は、前記第２の介入プロシージャにおいて前記介入装置が前記生物に入った前記介入装置の入口ロケーションから、前記介入装置の前記第２の位置及び形状によって示される前記介入装置の先端部のロケーションまでの、前記内部構造の部分を表示するディスプレイを有する、請求項１に記載のナビゲーションシステム。
【請求項１２】
前記位置及び形状決定ユニットは、前記第１の介入プロシージャにおいて、前記記憶された第１の位置及び形状として、第１の介入装置の位置及び形状を決定し記憶し、前記第２の介入プロシージャにおいて、前記第２の位置及び形状として第２の介入装置の位置及び形状を決定し、前記ナビゲーション装置は、前記第２の介入プロシージャの間、前記記憶された第１の位置及び形状並びに前記第２の位置及び形状に基づいて、前記第２の介入装置をナビゲートする、請求項１に記載のナビゲーションシステム。
【請求項１３】
介入プロシージャを生物に適用する介入システムであって、
前記介入プロシージャを実施する介入装置と、
請求項１に記載のナビゲーションシステムと、
を有する介入システム。
【請求項１４】
生物内のターゲット領域に経路に沿って介入装置をナビゲートするナビゲーションコンピュータプログラムであって、前記ナビゲーションコンピュータプログラムは、請求項１に記載のナビゲーションシステムを制御するコンピュータ上でランされるとき、
第１の介入プロシージャの間、生物内の介入装置の第１の位置及び形状を決定し記憶し、次の第２の介入プロシージャの間、生物内の前記介入装置の第２の位置及び形状を決定するステップと、
前記記憶された第１の位置及び形状並びに前記第２の位置及び形状を利用して、前記第２の介入プロシージャの間、前記第１の介入プロシージャの間に使用された経路と同じ経路に沿って前記介入装置をナビゲートするステップと、
を、前記ナビゲーションシステムに実行させるプログラムコード手段を有する、ナビゲーションコンピュータプログラム。
【発明の詳細な説明】
【技術分野】
【０００１】
本発明は、生物内のターゲット領域へカテーテル又はガイドワイヤのような介入装置をナビゲートするナビゲーションシステム、ナビゲーション方法及びナビゲーションコンピュータプログラムに関する。本発明は更に、前記ナビゲーションシステムを有する介入システムに関する。
【背景技術】
【０００２】
肝動脈化学閉塞療法（ＴＡＣＥ）インターベンションは、概して、いくつかの介入セッションを有し、これらの介入セッションの各々において、カテーテルが、腫瘍に血液を供給する肝動脈の部分にナビゲートされ、化学塞栓療法の物質が、カテーテルがナビゲートされたロケーションに注入される。
【発明の概要】
【発明が解決しようとする課題】
【０００３】
腫瘍に血液を供給する肝動脈の部分へのカテーテルのナビゲーションは、概して、相対的に不正確であり、ゆえに、個々の異なる介入セッションにおいて、カテーテルが同じ経路に沿って同じロケーションにナビゲートされることを確実にすることは難しい。これは、インターベンションの品質を低下させうる。
【０００４】
本発明の目的は、改善されたインターベンションを可能にする、生物内のターゲット領域に介入装置をナビゲートするナビゲーションシステム、ナビゲーション方法及びナビゲーションコンピュータプログラムを提供することである。本発明の他の目的は、前記ナビゲーションシステムを有する介入システムを提供することである。
【課題を解決するための手段】
【０００５】
本発明の第１の見地において、生物内のターゲット領域に介入装置をナビゲートするナビゲーションシステムであって、第１の介入プロシージャの間、生物内の介入装置の第１の位置及び形状を決定し、記憶し、次の第２の介入プロシージャの間、生物内の介入装置の第２の位置及び形状を決定するように適応される位置及び形状決定ユニットと、記憶された第１の位置及び形状に基づいて及び第２の位置及び形状に基づいて、第２の介入プロシージャの間、介入装置をナビゲートするナビゲーション装置と、を有するナビゲーションシステムが提示される。
【０００６】
ナビゲーション装置は、第１の介入プロシージャの間に決定された記憶された第１の位置及び形状に基づいて、及び第２の介入プロシージャの間に決定された第２の位置及び形状に基づいて、第２の介入プロシージャの間、介入装置をナビゲートするように適応されるので、第２の介入プロシージャの間に介入装置をナビゲートする間、第１の介入プロシージャの間に使用された生物内の経路及び第２の介入プロシージャの間に決定された介入装置の実際の経路の両方が、考慮されることができる。例えば、決定された第２の位置及び形状が、記憶された第１の位置及び形状と異なる場合、第２の介入プロシージャの間の介入装置のナビゲーションは、第２の介入プロシージャの間の介入装置の位置及び形状が、第１の介入プロシージャの間の介入装置の位置及び形状と同じであるように、補正されることができ、それにより、第１の介入プロシージャの間及び第２の介入プロシージャの間、介入装置が、生物内の同じ経路に沿ってナビゲートされることを確実にする。これは、異なる介入セッションとして考えられうる複数の異なる介入プロシージャを有する化学塞栓療法インターベンションのようなインターベンションの改善を可能にする。これは更に、個々の異なる介入セッションにおいて同じ経路がより迅速に見つけられることができるので、全体のインターベンションに必要とされる時間を短縮することを可能にする。
【０００７】
第１の介入プロシージャ及び第２の介入プロシージャは、全体のインターベンションの一部である。この全体のインターベンションは、複数日にわたることがあり、第１の介入プロシージャと第２の介入プロシージャとの間には相対的に長い期間があり、患者は、その期間中、一般には処置されず、介入部屋を去る。しかしながら、全体のインターベンションは、第１の介入プロシージャと第２の介入プロシージャとの間に比較的に短い時間を伴って又は実際には両プロシージャの間の時間なしに、実施されることもできる。そのような場合、全体のインターベンションは、基本的に単一の複雑なプロシージャであり、第１及び第２の介入プロシージャは、この複雑なプロシージャの介入セッションであり、患者は、実質的に中断なしにこの複雑なプロシージャの間処置される。このような複雑なプロシージャの例は、動脈瘤を処置するための血管内大動脈修復術（ＥＶＡＲ）又は有窓血管内大動脈修復術（ＦＥＶＡＲ）におけるステント配置のためのプロシージャである。これらのプロシージャは、さまざまな中間セッション、すなわち第１、第２及び可能性としてより多くの介入プロシージャを含み、それによって、１つのセッションの間の介入装置の記憶された位置及び形状は、他のセッションの間に介入装置をナビゲートするために使用されることもできる。
【０００８】
決定された位置及び形状は、好適には、３次元経路を記述する３次元位置及び形状であり、かかる３次元経路に沿って、介入装置が、第１及び第２の介入プロシージャの間ネビゲートされる。２より多くの介入プロシージャを有することができるこれらの介入プロシージャの全てにおいて又は少なくともいくつかにおいて、介入装置の個々の位置及び形状が、決定され、ナビゲーション装置が、個々の異なる介入プロシージャの間に同じ経路に沿って介入装置をナビゲートするために、現在の介入プロシージャの間に決定された位置及び形状に基づいて及び以前の介入プロシージャの間に決定された少なくとも１つの記憶された位置及び形状に基づいて、現在の介入プロシージャの間、介入装置をナビゲートするように、全体のインターベンションが適応される。
【０００９】
介入装置は、カテーテル、ガイドワイヤ、その他のような脈管介入装置でありうる。介入プロシージャは、好適には、経皮介入プロシージャである。特に、それらは、好適にはＴＡＣＥインターベンションの部分である。
【００１０】
ナビゲーション装置は、全体の個々の位置及び形状に基づいて、又は、個々の位置及び形状の一部に基づいて、介入装置をナビゲートするように適応されることができる。例えば、ナビゲーション装置は、記憶された第１の位置及び形状の一部並びに全体の第２の位置及び形状に基づいて、介入装置をナビゲートするように適応されることができる。
【００１１】
一実施形態において、位置及び形状決定ユニットは、光学形状検知によって第１及び第２の位置及び形状を決定するように適応される。光学形状検知によって第１及び第２の位置及び形状を決定することは、これらの位置及び形状を、ユーザにとって非常に簡単であり且つ非常に正確なやり方で決定することを可能にし、すなわち、ユーザは、異なる介入プロシージャの位置及び形状を決定するために複雑なやり方で異なる装置を扱う必要がない。
【００１２】
ナビゲーション装置は、好適には、記憶された第１の位置及び形状並びに第２の位置及び形状を表示するディスプレイと、表示された第１及び第２の位置及び形状に基づいて、第２の介入プロシージャの間、ユーザが介入装置を移動することを可能にするユーザインタラクションユニットと、を有する。ナビゲーションシステムは、少なくとも第２の介入プロシージャの間、生物の画像を生成するイメージング装置を更に有することができ、ディスプレイは、記憶された第１の位置及び形状並びに画像にオーバレイされる第２の位置及び形状を表示するオーバレイ画像を表示するように適応されることができる。イメージング装置は、好適には、生物のＸ線投影画像を提供するように適応され、それにより、記憶された第１の位置及び形状並びに第２の位置及び形状が、Ｘ線投影画像に表示されることができる。従って、ユーザは、Ｘ線投影画像上の介入装置の第１及び第２の位置及び形状を観察することによって、介入装置が第１の介入プロシージャの間にナビゲートされた経路に等しい経路に沿って、第２の介入プロシージャの間、介入装置を信頼性をもってナビゲートすることができる。
【００１３】
一実施形態において、ナビゲーション装置は、記憶された第１の位置及び形状を第２の位置及び形状と比較し、比較に基づいて、第２の介入プロシージャの間、介入装置をナビゲートするように適応される。特に、第１及び第２の位置及び形状の比較に基づいて、実際の第２の位置及び形状が、第１の位置及び形状の少なくとも一部と同じであるように、ナビゲーション装置は、第２の介入プロシージャの間、介入装置を自動的にナビゲートするように適応されることができる。
【００１４】
更に好適には、位置及び形状決定ユニットは、第２の介入プロシージャの間、第２の位置及び形状を連続的に決定するように適応され、ナビゲーション装置は、記憶された第１の位置及び形状並びに実際の第２の位置及び形状に依存して、第２の介入プロシージャの間、介入装置をナビゲートするように適応される。例えば、第２の位置及び形状は、第２の介入プロシージャにおいて連続的に決定されることができ、従って、オーバレイ画像が、第２の介入プロシージャにおいて取得された生物の実際の画像でありうるＸ線投影画像上に、以前に決定された記憶された第１の位置及び形状と共に、実際の第２の位置及び形状を表示することができ、それにより、第２の介入プロシージャの間、ライブのオーバレイ画像に基づいて、ユーザが介入装置をナビゲートすることを可能にする。
【００１５】
好適には、位置及び形状決定ユニットは、介入装置が第１の介入プロシージャの間にターゲット領域に到達すると、介入装置の第１の位置及び形状を決定し、記憶するように適応される。従って、第１の介入プロシージャの間に、介入装置がターゲット領域に到達したときの介入装置の位置及び形状によって規定される経路の全体の長さが、第２の介入プロシージャの間に介入装置をナビゲートするために記憶され、使用されることができ、それにより、第１の介入プロシージャの間に使用された全体の経路に沿って、第２の介入プロシージャの間に介入装置をナビゲートすることが可能になる。
【００１６】
更に、位置及び形状決定ユニットは、介入装置が第１の介入プロシージャの間に移動される間、介入装置のいくつかの第１の位置及び形状を決定し、記憶するように適応されることができ、この場合、介入装置が、ターゲット領域に到達する前に、少なくとも１つの第１の位置及び形状が、決定され、記憶される。例えば、位置及び形状決定ユニットは、介入装置が第１の介入プロシージャにおいてターゲット領域に到達すると、第１の位置及び形状を決定し記憶し、介入装置が第１の介入プロシージャにおいてターゲット領域に到達する前に、少なくとも１つの他の第１の位置及び形状を決定し、記憶するように、適応されることができる。例えば、介入装置が第１の介入プロシージャのターゲット領域に到達する前に、それが脈管分岐ポイントのような生物内の重要なロケーションに到達したときに、第１の位置及び形状が決定され、記憶されることができる。
【００１７】
ナビゲーションシステムは、第１の位置及び形状がいつ記憶されるべきかをユーザが指示することを可能にするユーザインタフェースを有することができ、この場合、位置及び形状決定ユニットは、第１の位置及び形状が記憶されるべきであることをユーザが指示するとき、第１の位置及び形状を記憶するように適応されることができる。ユーザは、第１の介入プロシージャの間に介入装置のいくつかの第１の位置及び形状を記憶するために、第１の介入プロシージャの間に第１の位置及び形状が複数回記憶されるべきであることを指示することができる。例えば、ユーザは、第１の介入プロシージャの間、介入装置が脈管分岐ポイントのような生物内の重要なロケーションに到達するときに第１の位置及び形状を記憶するように、ナビゲーションシステムに促すことができる。ナビゲーション装置は更に、記憶された第１の位置及び形状の一部をユーザが示すことを可能にするユーザインタフェースを有することができ、ナビゲーション装置は、記憶された第１の位置及び形状の示された部分並びに第２の位置及び形状に基づいて、第２の介入プロシージャの間、介入装置をナビゲートするように適応されることができる。特に、ナビゲーション装置は、記憶された第１の位置及び形状を表示するディスプレイを有することができ、ユーザインタフェースは、表示された記憶された第１の位置及び形状上で、第１の位置及び形状の一部を、それを示すためにユーザがマークすることを可能にするように適応されることができる。例えば、介入装置が、第１及び第２の介入プロシージャにおいて異なる脈管端部ポイントを目標としながら、第１及び第２の介入プロシージャにおいて人の鼠径部動脈の同じポイントに挿入される場合、ユーザは、元の経路上で、すなわち介入装置の記憶された第１の位置及び形状上で、ユーザが第１の位置及び形状をたどって到達したいと望むポイントをマークすることができる。あるいは、右鼠径部に代わって左鼠径部から介入装置を挿入する場合、記憶された第１の位置及び形状は、大動脈から始まるようにマークされることができ、すなわち、第２の介入プロシージャの間に一旦大動脈に達すると、介入装置の経路が、再び使用されることができる。
【００１８】
一実施形態において、位置及び形状決定ユニットは、ａ）記憶された第１の位置及び形状と第２の位置及び形状との間の類似性の程度を示す類似性尺度が最大にされるように、記憶された第１の位置及び形状と、第２の位置及び形状とを互いに位置合わせし、ｂ）第１及び第２の介入プロシージャの間、最大にされる類似性尺度に基づいて、ナビゲーションが同じ経路に沿って実施されるかどうかを決定するように、適応される。例えば、最大にされた類似性尺度が、予め規定された閾値より小さい場合、ナビゲーションが、第１及び第２の介入プロシージャの間、それぞれ異なる経路に沿って実施されることが決定されることができる。例えば、類似性尺度は、ユークリッド距離、相関付け、その他に基づくものでありうる。
【００１９】
一実施形態において、ナビゲーションシステムは更に、生物の内部構造を提供する内部構造提供ユニットを有し、ナビゲーション装置は、記憶された第１の位置及び形状並びに第２の位置及び形状と共に、内部構造を表示するディスプレイを有する。特に、システムは、第２の介入プロシージャにおいて介入装置が生物に入った介入装置の入口ロケーションから、介入装置の第２の位置及び形状によって示されるような介入装置の先端部のロケーションまでの内部構造の部分が、表示されるように、適応されることができる。内部構造は、生物内の脈管系のロードマップを提供することによって与えられることができる。ディスプレイは、第２の介入プロシージャにおいて、介入装置が生物の脈管系に入った介入装置の入口ロケーションから、介入装置の第２の位置及び形状によって示される介入装置の先端部のロケーションまでのロードマップの一部を表示するように適応されることができ、それにより、第２の介入プロシージャの間、介入装置をナビゲートするために現在重要であるロードマップの部分を表示することができる。システムは、ディスプレイ上に、第２の介入プロシージャにおいて介入装置が生物に入った介入装置の入口ロケーションから、介入装置の第２の位置及び形状によって示される介入装置の先端部ロケーションまでの内部構造の部分のみを表示し、内部構造の残りの部分を更には表示しないように、適応されることができる。しかしながら、システムは、全体の内部構造を表示し、介入装置の入口ロケーションから、介入装置の第２の位置及び形状によって示される介入装置の先端部ロケーションまでの内部構造の部分を、内部構造の残りの部分に対してこの部分を強調表示することによって表示するように適応されることができる。例えば、表示されるべき部分は、より高い強度によって、又は内部構造の残りの部分のカラーと異なるカラーによって、表示されることができる。
【００２０】
位置及び形状決定ユニットは、第１の介入プロシージャにおいて、記憶された第１の位置及び形状として第１の介入装置の位置及び形状を決定し、記憶し、第２の介入プロシージャにおいて、第２の位置及び形状として第２の介入装置の位置及び形状を決定するように、適応されることができ、ナビゲーション装置は、第２の介入プロシージャの間、記憶された第１の位置及び形状並びに第２の位置及び形状に基づいて、第２の介入装置をナビゲートするように適応されることができる。従って、第１及び第２の介入プロシージャにおいて、それぞれ異なる介入装置が使用されることができる。しかしながら、別の実施形態において、同じ介入装置が、第１及び第２の介入プロシージャにおいて使用されることもできる。
【００２１】
本発明の別の見地において、介入プロシージャを生物に適用する介入システムであって、介入プロシージャを実施するための介入装置と、請求項１に記載の、生物内のターゲット領域に介入装置をナビゲートするナビゲーションシステムと、を有する介入システムが提示される。
【００２２】
本発明の別の見地において、生物内のターゲット領域に介入装置をナビゲートするナビゲーション方法であって、第１の介入プロシージャの間、生物内の介入装置の第１の位置及び形状を決定し、記憶し、次の第２の介入プロシージャの間、生物内の介入装置の第２の位置及び形状を決定するステップと、記憶された第１の位置及び形状に基づいて及び第２の位置及び形状に基づいて、第２の介入プロシージャの間、介入装置をナビゲートするステップと、を含むナビゲーション方法が提示される。
【００２３】
本発明の他の見地において、生物内のターゲット領域に介入装置をナビゲートするナビゲーションコンピュータプログラムであって、ナビゲーションコンピュータプログラムが、ナビゲーションシステムを制御するコンピュータ上でランされるとき、請求項１４に記載のナビゲーション方法の各ステップを、請求項１に記載のナビゲーションシステムに実施されるためのプログラムコード手段を有する、ナビゲーションコンピュータプログラムが提示される。
【００２４】
請求項１に記載のナビゲーションシステム、請求項１３に記載の介入システム、請求項１４に記載のナビゲーション方法、及び請求項１５に記載のナビゲーションコンピュータプログラムが、従属請求項に記載の同様の及び／又は同一の好適な実施形態を有することが理解されるべきである。
【００２５】
本発明の好適な実施形態は更に、従属請求項又は上述の実施形態と、個々の独立請求項との任意の組み合わせでありうることが理解される。
【００２６】
本発明のこれら及び他の見地は、以下に記述される実施形態から明らかになり、それらを参照して説明される。
【図面の簡単な説明】
【００２７】
【図１】介入プロシージャを生物に適用する介入システムを概略的及び例示的に示す図。
【図２】生物の内部構造、及び異なる介入プロシージャにおいて決定されるカテーテルの位置及び形状を概略的及び例示的に示す図。
【図３】介入プロシージャを生物に適用する介入方法の実施形態を例示的に示すフローチャート。
【発明を実施するための形態】
【００２８】
図１は、介入プロシージャを生物に適用するための介入システムの実施形態を概略的及び例示的に示す。この実施形態において、介入システム１は、ＴＡＣＥインターベンションを実施するように適応される。介入システム１は、テーブル８のような支持手段上に横たわる人９の肝動脈にナビゲートされるカテーテル１１を有する。カテーテル１１は、好適には、右鼠径部から、大腿骨動脈、腹部大動脈及び腹腔動脈を通って総肝動脈にナビゲートされる。カテーテル１１は、好適には、医師のようなユーザによって、ユーザインタラクションユニット１２を通じてナビゲートされるように適応される。
【００２９】
例えば、カテーテル１１は、ヒンジによって接続されるいくつかの部分を有することができ、それらの部分は、個々の部分に接続されるワイヤを使用することによって互いに対してピボット回転可能である。特に、個々のワイヤの一端は、カテーテル１１の個々の部分に接続されることができ、個々のワイヤの他端は、ユーザインタラクションユニット１２の個々のモータに接続されることができ、それにより、カテーテル１１の異なる部分が、ワイヤ及びユーザインタラクションユニット１２内のモータを通じて互いに対してピボット回転されることができる。ユーザインタラクションユニット１２は、全体のカテーテル１１を並進させ、カテーテル１１全体を回転させるための少なくとも２つの他のモータを有することができる。カテーテル１１全体を並進させ、回転させるために、ユーザインタラクションユニット１２は、カテーテル１１をクランプ留めする機械的固定具を有することができ、少なくとも２つの他のモータは、レールに沿って機械的固定具を並進させ、機械的固定具を回転させるように適応されることができる。機械的固定具を回転させることに代わって、ユーザインタラクションユニット１２は、カテーテル１１が少なくとも１つの他のモータを使用することによって機械的固定具内で回転されるように、構成されることができる。概して、知られているロボットシステムの機械構成が、カテーテル１１の形状を変更し、カテーテル１１を移動させるため使用させることができ、例えば、Hansen社からのMagellanロボットシステムの機械構成がありうる。ユーザインタラクションユニット１２が、キーボード、コンピュータマウス、タッチパッド、ジョイスティック、及び／又はユーザがユーザインタラクションユニット１２に所望のナビゲーションコマンドを入力することを可能にする別の入力手段を有する入力ユニット１７を通じて、医師によって使用されることができる。他の実施形態において、例えば磁気手段を使用することによって別の方法で、カテーテルの形状が変更され、カテーテルが移動されることができる。更に、他の実施形態において、カテーテルは、ガイドワイヤを使用することによって直接手動でステアリングされることができる。
【００３０】
介入システムは更に、人９内におけるカテーテル１１の位置及び形状を決定するための位置及び形状決定ユニット１３を有する。この実施形態において、位置及び形状決定ユニット１３は、カテーテル１１の位置及び形状を決定するために光学形状検知を使用するように適応される。例えば、位置及び形状決定ユニット１３は、米国特許第7,772,541B2号明細書に開示される技法、欧州特許出願公開第2 478 331A2号明細書に開示される技法、又はカテーテル１１の位置及び形状を決定するための別の光学形状検知技法を使用するように適応されることができる。
【００３１】
カテーテル１１の先端が肝動脈に到達したあと、血管をブロックするように設計された粒子であって化学療法薬でコーティングされた小さい血管塞栓用マイクロスフィア（例、embosphere）が、処置ユニット１９を使用することによって、カテーテル１１を通じて、腫瘍１０に血液供給している動脈に直接注入される。処置ユニット１９は、血管塞栓用マイクロスフィアのリザーバと、カテーテル１１を通じて肝動脈に血管塞栓用マイクロスフィアを送るポンプと、を有する。別の実施形態において、処置ユニットは、化学療法薬を含まずに所望の血管をただ詰まらせるために使用される小さい球体、又は選択的内部放射線治療（ＳＩＲＴ）を実施するためのＹ９０のような放射線源を有する小さい球体のような、別の種類の粒子を注入するように適応されることもできる。
【００３２】
注入された血管塞栓用マイクロスフィアは、腫瘍への動脈血供給を制限し、化学療法剤が、ターゲット組織に直接供給され、それによって、腫瘍の領域に局所的に化学療法剤に集中させ、これは、全身化学療法と比較して低減された化学療法副作用をもたらす。ＴＡＣＥ（すなわちマイクロスフィアの注入）は、複数の介入セッションの中で実施され、これらの幾つかの介入セッション同士の間、カテーテル１１は、人９から完全に除去される。更に、異なる介入プロシージャとしても考えられうる異なる介入セッションのために、同じカテーテル１１又は異なるカテーテルが使用されることができる。この実施形態では、第１の介入セッション及び次の第２の介入セッションの間、同じカテーテル１１が使用され、位置及び形状決定ユニット１３は、第１の介入セッションの間に人９内のカテーテル１１の第１の位置及び形状を決定し、記憶するように、及び第２の介入セッションの間に人９内のカテーテル１１の第２の位置及び形状を決定するように適応される。
【００３３】
第１の介入セッションの間に決定される第１の位置及び形状は、それがカテーテル１１の実際に決定された第２の位置及び形状と共に第２の介入セッションの間にディスプレイ１８に表示されることができるように、記憶され、ユーザが、第１の介入セッションの間に使用されるのと同じ経路に沿って、すなわち、第１の介入プロシージャの間に決定されたカテーテル１１の記憶された第１の位置及び形状によって示される経路に沿って、第２の介入セッションの間カテーテル１１をナビゲートすることを可能にする。特に、カテーテル１１が肝動脈へ移動される間、第２の位置及び形状が、第２の介入プロシージャの間に連続的に決定されることができ、他方で、カテーテル１１の個々の実際の第２の位置及び形状が、第１の介入プロシージャの間に決定された記憶された第１の位置及び形状と共に、ディスプレイ１８に表示されることができ、それにより、ユーザが、第１の介入プロシージャの間に使用された人９囲内の経路に沿って、第２の介入プロシージャの間にカテーテル１１をナビゲートすることを可能にする。
【００３４】
位置及び形状決定ユニット１３は、第２の介入セッションの間、実際の第２の位置及び形状を、記憶された第１の位置及び形状の対応する部分と位置合わせするように適応される。特に、実際の第２の位置及び形状が、特定の長さを有する経路を規定する場合、この実際の第２の位置及び形状は、同じ長さを有する経路を規定する、記憶された第１の位置及び形状の対応する部分と位置合わせされることができる。第２のセッションの間に、カテーテルがターゲット領域に到達した場合、対応する全体の第２の位置及び形状が、全体の記憶された第１の位置及び形状と位置合わせされることができる。
【００３５】
位置及び形状決定ユニット１３は、既知の３Ｄ−３Ｄ位置合わせアルゴリズムのような知られている位置合わせアルゴリズムを使用することによって、決定され記憶された第１の位置及び形状を、決定された第２の位置及び形状に対し位置合わせするように適応される。位置及び形状決定ユニット１３は、ユーザが、第１及び第２の位置及び形状を手動で位置合わせし、及び／又は第１及び第２の位置及び形状によって規定される両方の経路によって使用される明確なポイント、例えば皮膚入口ポイントに基づいて、位置合わせを実施することを、可能にするように適応される。更に、これらの位置合わせ技法の組み合わせが、使用されることができる。
【００３６】
位置及び形状決定ユニット１３は、第１及び第２の位置及び形状を互いに位置合わせするために類似性尺度を使用するように適用されることができ、類似性尺度が最大にされるように、位置合わせアルゴリズムは、第１及び第２の位置及び形状を互いに位置合わせするように適応されることができる。最大にされた類似性尺度が予め規定された閾値より小さい場合、第１及び第２の位置及び形状は、ディスプレイ１８上に好適に示される人内の異なる経路を規定する。類似性尺度は、例えば、ユークリッド距離、相関付け、その他に基づくことができる。
【００３７】
介入システム１は、インターベンションの間、人９の画像を生成するイメージング装置２を更に有し、ディスプレイ１８は、イメージング装置２によって生成される画像にオーバレイされる第１の位置及び形状並びに第２の位置及び形状を示すオーバレイ画像を表示するように適応される。この実施形態において、イメージング装置２は、Ｘ線投影画像を生成するＣアームＸ線システムである。ＣアームＸ線システム２は、Ｃアーム５を有し、Ｃアーム５の対向する端部に、Ｘ線源３及びＸ線検出器６がそれぞれ取り付けられる。Ｘ線源３は、人９を横切るＸ線４を放出するように適応され、Ｘ線検出器６は、人９を横切った後のＸ線４を検出するように適応される。特に、Ｃアームは移動可能であり、特に、異なる投影方向のＸ線投影画像を生成するために、回転可能であり並進可能である。ＣアームＸ線システム２は、ＣアームＸ線システムを制御するための、特にＸ線源３及びＸ線検出器６を制御するための制御ユニット７を更に有する。制御ユニット７は更に、Ｘ線検出器６によって検出されるＸ線強度を示し、Ｘ線検出器６から受け取られる検出値に基づいてＸ線投影画像を生成するように適応される。
【００３８】
介入システム１は、ユーザが第１の位置及び形状がいつ記憶されるべきかを指示することを可能にするユーザインタフェースを更に有し、位置及び形状決定ユニット１３は、第１の位置及び形状が記憶されるべきであることをユーザが指示するとき、第１の位置及び形状を記憶するように適応される。この実施形態において、ユーザインタフェースは、入力ユニット１７であり、入力ユニット１７は、ユーザが、カテーテル１１の実際の第１の位置及び形状が記憶されるべきであることを介入システムに入力することを可能にする。従って、位置及び形状決定ユニット１３は、第１の介入セッションの間に連続的に第１の位置及び形状を決定するように適応されることができ、連続的に決定された第１の位置及び形状は、これがユーザインタフェース１７を使用することによってユーザによって指示される場合のみ、記憶されることができる。好適には、カテーテル１１が、本実施形態において肝動脈であるターゲット領域に到達したとき、第１の介入セッションの間に使用された全体の経路を記憶するために、第１の位置及び形状が記憶される。第１の介入セッションの間、カテーテル１１がターゲット領域に到達したときにカテーテル１１の第１の位置及び形状を記憶することは、第１の介入セッションの間に使用された全体の経路に沿って、第２の介入セッションの間にカテーテル１１をナビゲートすることを可能にする。更に、システムは、第１の介入セッションの間又は第１のセッションが終了された後、ユーザが、ユーザインタフェース１５を使用することによって、記憶された第１の位置及び形状上の特定の領域をマークすることを可能にするように適応されることができる。例えば、ユーザは、ユーザインタフェース１５を通じて、カテーテル１１の記憶される第１の位置及び形状の領域を示すことができ、そこにマークが付されるべきである。これらの領域は、脈管分岐ポイントのような人９内の重要なロケーションを有することができる。システムは、カテーテル１１がターゲット領域に到達したあとであって、カテーテル１１の第１の位置及び形状が記憶されたあと、ユーザが、ディスプレイ１８に表示されるこの記憶された第１の位置及び形状上で直接これらの領域をマークすることを可能にするように適応されることができ、又は、カテーテル１１の先端部が、第１の介入セッションの間に個々の領域に到達したとき、システムは、ユーザが、個々の領域を示すことを可能にするように適応されることができ、この示される個々の領域は、最終的に、記憶された第１の位置及び形状上でマークされることができる。第２の介入セッションの間、マークされた領域が、ディスプレイ１８上に表示されることができる。更に、カテーテル１１がターゲット領域に到達する前に、他の第１の位置及び形状が記憶されることができる。例えば、ユーザは、ユーザインタフェース１５を通じて、カテーテル１１が脈管分岐ポイントのような人９内の重要なロケーションに到達するときに、カテーテル１１の第１の位置及び形状が記憶されるべきことを示すことができる。
【００３９】
別の実施形態において、位置及び形状決定ユニット１３は、第１の介入セッションの間にカテーテル１１がターゲット領域に到達したとき、第１の位置及び形状を自動的に記憶するように適応されることもできる。例えば、ターゲット領域の位置は、コンピュータトモグラフィ画像又は磁気共鳴画像のような人９の予め取得された画像に基づいて自動的に決定されることができ、又はユーザは、このような画像上でターゲット領域をマークすることができ、ターゲット領域の位置及び第１の介入セッションの間に連続的に決定された第１の位置及び形状に基づいて、カテーテル１１がターゲット領域に到達したときが決定されることができ、カテーテル１１の第１の位置及び形状が、記憶されることができる。
【００４０】
ユーザインタフェース１５は更に、単独で、すなわち記憶された第１の位置及び形状の残りの部分なしに、ディスプレイ１８に表示されるべきである、又は、記憶された第１の位置及び形状の残りの部分に対して強調表示される方法で表示されるべきである記憶された第１の位置及び形状の部分をユーザが示すことを可能にするように適応されることができ、ユーザが、第２の介入セッションの間、ユーザインタラクションユニット１２を使用することによって、記憶された第１の位置及び形状並びに実際の第２の位置及び形状の示された部分に基づいて、カテーテル１１をナビゲートすることを可能にする。
【００４１】
特に、記憶された第１の位置及び形状の一部を示すために、ディスプレイ１８は、記憶された第１の位置及び形状の全体を表示することができ、ユーザインタフェース１５は、ユーザが、表示された記憶された全体の第１の位置及び形状上で、第２の介入セッションの間に使用されるべきである第１の位置及び形状の部分をマークすることを可能にするグラフィカルユーザインタフェースでありうる。入力ユニット１７が、記憶された第１の位置及び形状の部分を示すために、グラフィカルユーザインタフェース１５と共に使用されることができる。
【００４２】
カテーテル１１が、第１及び第２の介入セッションにおいて異なる脈管端部ポイントをターゲットとしながら、第１及び第２の介入セッションにおいて人の鼠径部動脈の同じポイントに挿入される場合、ユーザは、元の経路上、すなわちカテーテル１１の記憶された全体の第１の位置及び形状上で、ユーザが元の経路をたどって到達することを望むポイントをマークすることができる。あるいは、例えば、右鼠径部からではなく左鼠径部からカテーテル１１を挿入する場合、記憶された全体の第１の位置及び形状は、大動脈から始まるようにマークされることができ、すなわち、大動脈から始まるカテーテル１１からの元の経路のみが再使用されることができる。
【００４３】
介入システム１は、人９の内部構造を提供する内部構造提供ユニット１６を更に有し、ディスプレイ１８は、提供された内部構造を、カテーテル１１の第１及び第２の位置及び形状と共に表示するように適応されることができる。これは、図２に概略的及び例示的に示される。
【００４４】
図２に概略的及び例示的に示される内部構造２０は、血管２２、肝臓２１及び腫瘍１０を有する。ディスプレイ１８は更に、カテーテル１１の第２の位置及び形状２３、２４によって部分的にオーバレイされる記憶された第１の位置及び形状２５、すなわち第１の介入セッションの間に使用された元の経路を表示し、第２の位置及び形状２３、２４は、第２の介入セッションにおける、カテーテル１１のターゲット領域へのナビゲーションの間のカテーテル１１の現在の位置及び形状を示す。図２において、参照数字２４は、カテーテル１１の先端部の位置及び形状を示し、参照数字２３は、第２の介入セッションの間のカテーテル１１の残りの部分の位置及び形状を示す。
【００４５】
介入システムは、図２に示されるように内部構造２０の全体を表示し、又は第２の介入セッションにおいてカテーテル１１が人９に挿入されたカテーテル１１の入口ロケーションから、カテーテル１１の実際の第２の位置及び形状によって示されるカテーテル１１の先端部の現在ロケーションまでの内部構造２０の部分を表示するように、適応されることができる。内部構造提供ユニット１６によって提供される内部構造は、人９内の可能性のある経路を示す人９内の血管構造を表示するロードマップでありえ、全体のロードマップが、ディスプレイ１８に表示されることができ、又はカテーテル１１のカテーテル１１が第２の介入セッションにおいて人９に挿入された入口ロケーションから、第２の介入セッションにおけるカテーテル１１の実際の第２の位置及び形状によって示されるカテーテル１１の先端部の現在ロケーションまでのロードマップの部分のみが、ディスプレイ１８に表示されることができる。
【００４６】
ユーザインタラクションユニット１２、ユーザインタフェース１５、入力ユニット１７及びディスプレイ１８が、記憶された第１の位置及び形状に基づいて及び第２の位置及び形状に基づいて、第２の介入セッションの間にカテーテル１１をナビゲートするために使用されるので、これらのコンポーネントは、記憶された第１の位置及び形状に基づいて及び第２の位置及び形状に基づいて、第２の介入セッションの間にカテーテル１１をナビゲートするためのナビゲーション装置のコンポーネントであると考えられることができる。更に、このナビゲーション装置は、人９内のターゲット領域１０にカテーテル１１をナビゲートするために、位置及び形状決定ユニット１３と共に使用されるので、ナビゲーション装置及び位置及び形状決定ユニット１３は、人９内のターゲット領域１０にカテーテル１１をナビゲートするためのナビゲーションシステムのコンポーネントであると考えられることができ、ナビゲーションシステムは、介入システム１と一体化される。
【００４７】
以下、介入方法の実施形態が、図３に示されるフローチャートを参照して例示的に説明される。
【００４８】
ステップ１０１において、第１の介入セッションにおいて、カテーテル１１が、腫瘍１０に血液を供給する肝動脈の部分にナビゲートされ、このナビゲーションの間、カテーテル１１の位置及び形状が光学形状検知によって決定される。カテーテル１１が、化学塞栓療法物質が注入されるべきであるターゲット領域に到達すると、カテーテル１１の決定された位置及び形状は、次の第２の介入セッションの間に使用されるべき第１の位置及び形状として記憶される。
【００４９】
ステップ１０２において、血管塞栓用マイクロスフィアが、処置ユニット１９及びカテーテル１１を使用することによって、肝動脈のターゲット領域に配置される。血管塞栓用マイクロスフィアが肝動脈に配置されたのち、カテーテル１１は、ステップ１０３において、第１の介入セッションの終わりに人９から除去される。
【００５０】
ステップ１０４において、第２の介入セッションの間、カテーテル１１が、肝動脈にナビゲートされ、カテーテル１１の位置及び形状が、第２の位置及び形状として連続的に決定され、記憶された第１の位置及び形状と共にディスプレイ１８に表示される。個々の実際の第２の位置及び形状並びに記憶された第１の位置及び形状は、ＣアームＸ線システム２によって提供されるＸ線投影画像に、及び／又はロードマップのような内部構造２０の表現に、オーバレイされて表示されることができる。ディスプレイ１８上に、記憶された第１の位置及び形状、すなわち人９内の元の経路と、第２の介入セッションの間のカテーテル１１の個々の実際の第２の位置及び形状とを一緒に表示することによって、ユーザは、ユーザインタラクションユニット１２を使用することによって、第１の介入セッションの間に使用された元の経路に沿って、第２の介入セッションの間にカテーテル１１をナビゲートすることができる。
【００５１】
カテーテル１１が、元の経路に沿ってナビゲートされて、カテーテル１１が、第１の介入セッションの間に到達されたターゲットロケーションに到達したのち、ステップ１０５において、血管塞栓用マイクロスフィアが、カテーテル１１及び処置ユニット１９を使用することによってターゲットロケーションに配置される。血管塞栓用マイクロスフィアが、ターゲットロケーションに配置されたのち、カテーテル１１は、ステップ１０６において、第２の介入セッションの終わりに人９から除去されることができる。
【００５２】
更なる介入セッション、すなわち第３の介入セッション、第４の介入セッション等が後に続くことができ、個々の更なる介入セッションの間、前の介入セッションの間に決定されたカテーテル１１の記憶された位置及び形状が、カテーテル１１をナビゲートするために使用される。好適には、第１の介入セッションの後のすべての介入セッションについて、第１の介入セッションの間に決定され記憶されたカテーテル１１の位置及び形状が、元の経路として使用される。
【００５３】
ステップ１０１及び１０４は、実際にターゲット領域へのカテーテルのナビゲーションに関連するので、これらのステップは、人内のターゲット領域にカテーテル１１をナビゲートするナビゲーション方法を形成すると考えられることができる。従って、図３を参照して上述された方法は、一体化されたナビゲーション方法をもつ介入方法であると考えられることができる。
【００５４】
図１乃至図３を参照して上述された実施形態において、介入装置は、カテーテルであるが、他の実施形態において、介入装置は、ガイドワイヤのような別の装置であってもよく、この場合は更に、位置及び形状決定ユニットは、第１の介入プロシージャの間、生物内の介入装置の第１の位置及び形状を決定し記憶するように、及び次の第２の介入プロシージャの間、生物内の介入装置の第２の位置及び形状を決定するように適応され、ナビゲーション装置が、第２の介入プロシージャの間、記憶された第１の位置及び形状に基づいて及び第２の位置及び形状に基づいて、介入装置をナビゲートするために提供される。
【００５５】
図１乃至図３を参照して上述された実施形態において、生物は人であるが、他の実施形態において、生物は動物であってもよい。更に、図１乃至図３を参照して上述された実施形態において、個々の位置及び形状は、光学形状検知を使用することによって決定されているが、他の実施形態において、他の技法が、個々の介入プロシージャの間の生物内の介入装置の位置及び形状を決定するために使用されることができる。例えば、介入装置は、介入装置の位置及び形状を決定するために、その長さに沿って配置されるいくつかの電磁追跡センサを有することができる。
【００５６】
図１乃至図３を参照して上述された実施形態において、インターベンションは、ＴＡＣＥインターベンションであるが、他の実施形態において、インターベンションは、異なる介入セッションにおいて実施される、すなわち異なる介入プロシージャを有する別のインターベンションであってもよい。特に、インターベンションは、第１の介入セッションの間に使用された経路が次の第２の介入セッションの間にも少なくとも部分的に使用されることが重要である任意のインターベンションでありうる。例えば、インターベンションは、異なるアブレーションセッションにおいて少なくとも部分的に同じ経路が使用されるべきであるアブレーションインターベンションでありえ、又は、それは、注入装置が異なる注入セッションにおいて同じ経路に沿ってナビゲートされるべきである注入インターベンションでありうる。インターベンションは更に、子宮筋腫塞栓術インターベンション又は前立腺塞栓術ンターベンションのような別の塞栓術インターベンションでありうる。肺癌の診断及び処置は、いくつかのセッションにおいて実施されることができ、この場合、可撓性気管支鏡が、肺腫瘍を診断し処置するために使用されることができ、異なるセッションの間、気管支鏡が、同じ経路に沿ってナビゲートされるべきである。インターベンションは更に、介入装置がインターベンションの異なるセッションにおいて同じ経路に沿ってナビゲートされる例えば血管内大動脈修復術（ＥＶＡＲ）又は有窓血管内大動脈修復術（ＦＥＶＡＲ）におけるステントの配置でありうる。
【００５７】
第１の介入セッションの間の３次元追跡、すなわち第１の介入セッションの間の第１の位置及び形状の決定は、フォローアップ介入プロシージャにおいて同じ人のインターベンションガイダンスを複製するために使用されることができる情報を提供する。上述したＴＡＣＥインターベンションでは、カテーテルは、腫瘍に血液を供給する肝動脈の部分に位置付けられる。そこから、化学塞栓療法物質が注入される。このプロシージャは、異なる介入セッションの間に複数回繰り返される。介入放射線医であることが想定されるユーザを、異なる介入セッションの最中に同じ装置経路に沿って同じ脈管位置にガイドすることは、これらのインターベンションの品質及びスピードを改善することができる。
【００５８】
図１を参照して上述された介入システムは、第１のカテーテルインターベンションの全体にわたって、すなわち第１の介入セッションの全体にわたって、完全なカテーテル形状及びその位置を追跡するように適応されることができる。次いで、カテーテルがそのターゲットロケーションに到達するとき、特に化学塞栓療法物質が動脈に注入されるとき、時間ポイントがマークされることができ、それによって、カテーテルの３次元位置及び形状が記憶されることができる。
【００５９】
カテーテルの記憶された位置及び形状は、第２の介入セッションにおいて再び達成されるべきであるターゲット位置及び形状であると考えられることができる。カテーテルの記憶された位置及び形状、すなわちカテーテルの第１の位置及び形状は、この人のこの種のインターベンションのための、この人特有のカテーテル位置及び形状であると考えられることができる。例えばカテーテル先端部が脈管分岐ポイントに到達するときのような、第１の介入セッションの間の重要なロケーションにおいて、付加の位置及び形状の「スナップショット」が、のちの使用のために記憶されることができる。ターゲット領域までの全体の経路を規定する位置及び形状並びに任意の他の「スナップショット」は、データベースに記憶されることができ、各々の後続のインターベンションの間、記憶されたカテーテル位置及び形状が、データベースからロードされることができ、ターゲット領域に向かって進行する間、カテーテルの実際の位置及び形状と比較されることができる。カテーテルの１又は複数の記憶された位置及び形状並びに実際の位置及び形状は、Ｘ線投影画像上にライブのオーバレイとして表示されることができ、又はそれらは直接表示されることができ、すなわちＸ線投影画像にオーバレイされずに表示されることができる。異なる位置及び形状を比較することによって、ガイダンスは、記録された３次元経路に最適に整合するように如何にしてカテーテルを移動させるかのガイダンスが、ユーザに与えられることができる。
【００６０】
介入システムは更に、元の経路を部分的に再使用するように適応されることができ、すなわち、第１の介入セッションの間に決定されたカテーテルの記憶された第１の位置及び形状の一部のみが、第２の介入セッションの間にカテーテルをナビゲートするために使用されることができる。例えば、カテーテルは、異なる脈管端部ポイントを目標としながら、患者の鼠径部動脈の同等のポイントに挿入されることができる。ここで、ユーザは、元のカテーテル経路上で、すなわち記憶された第１の位置及び形状上で、ユーザがそれをたどって到達することを望むポイントをマークすることができる。代替として、例えば右鼠径部の代わりに左鼠径部からカテーテルを挿入する場合、第２の介入セッションにおいて大動脈に到達すると、カテーテル経路である記憶された第１の位置及び形状が、再び使用されることができる。
【００６１】
図１乃至図３を参照して上述された実施形態において、第１の介入セッションの間に決定され記憶された第１の位置及び形状が、第２の介入セッションの間にカテーテルの実際の第２の位置及び形状と共に表示され、それにより、ユーザが、第１の介入セッションの間にもカテーテルが移動された経路に沿って、第２の介入セッションの間にカテーテルを移動させることを可能にするが、別の実施形態において、カテーテルの記憶された第１の位置及び形状及びカテーテルの実際の第２の位置及び形状が、第１の介入セッションの間に使用された経路に沿ってターゲット領域にカテーテルを自動的にナビゲートするために、使用されることもできる。従って、カテーテル１１は、記憶された第１の位置及び形状と実際の第２の位置及び形状との間の比較に依存して、カテーテル制御ユニットによって自動的に制御可能なカテーテルでありうる。特に、ユーザインタラクションユニット１２に代わって又はそれに加えて、介入システム１は、カテーテルの記憶された第１の位置及び形状と実際の第２の位置及び形状との間の比較に基づいて、第２の介入セッションの間にカテーテルを自動的にナビゲートするカテーテル制御ユニットを有することができる。
【００６２】
上述の実施形態において、第１及び第２の位置及び形状は、３次元的に互いに位置合わせされるが、第１及び第２の位置及び形状は、４次元的に互いに位置合わせされることもできる。例えば、第１の位置及び形状は、心臓位相又は呼吸位相のような人の周期的運動の個々の位相と共に決定され、記憶されることができ、第２の位置及び形状の決定の間も、心臓位相又は呼吸位相が、決定されることができ、第１の位置及び形状と共に記憶されたのと同じ位相に対応する第２の位置及び形状が、記憶された第１の位置及び形状と位置合わせされることができる。
【００６３】
開示される実施形態に対する他の変更は、図面、開示及び添付の請求項の検討から、請求項に記載の本発明を実施する際に当業者によって理解され達成されることができる。
【００６４】
請求項において、「含む、有する（comprising）」という語は、他の構成要素を除外せず、不定冠詞「a」又は「an」は、複数性を除外しない。
【００６５】
単一のユニット又は装置は、請求項に列挙されるいくつかの項目の機能を果たすことができる。特定の手段が相互に異なる従属請求項に列挙されているという単なる事実は、これらの手段の組み合わせが有利に使用されることができないことを示さない。
【００６６】
１又は複数のユニット又は装置によって実施される介入装置の位置及び形状の決定のようなプロシージャ、異なる介入セッションにおいて決定される介入装置の位置及び形状の比較、その他は、任意の数のユニット又は装置によって実施されることができる。これらのプロシージャ及び／又は介入方法に従う介入システムの制御及び／又はナビゲーション方法に従うナビゲーションシステムの制御は、コンピュータプログラムのプログラムコード手段として及び／又は専用ハードウェアとして、実現されることができる。
【００６７】
コンピュータプログラムは、他のハードウェアと共に又はその一部として供給される適切な媒体、例えば光学記憶媒体又はソリッドステート媒体に記憶され／配布されることができるが、他の形式で、例えばインターネット又は他のワイヤード又はワイヤレスの通信システムを通じて、配布されることもできる。
【００６８】
請求項におけるいかなる参照符号も、本発明の範囲を制限するものとして解釈されるべきでない。
【００６９】
本発明は、カテーテルのような介入装置をナビゲートするナビゲーションシステム、及び前記ナビゲーションシステムを有する介入システムに関する。位置及び形状決定ユニットは、第１の化学塞栓療法セッションのような第１の介入プロシージャの間、生物内の介入装置の第１の位置及び形状を決定し、記憶し、第２の化学塞栓療法セッションのような次の第２の介入プロシージャの間、生物内の介入装置の第２の位置及び形状を決定する。第２の介入プロシージャの間、介入装置は、記憶された第１の位置及び形状に基づいて及び第２の位置及び形状に基づいて、ナビゲートされる。これは、第２の介入プロシージャの間、第１の介入プロシージャの間に使用された介入装置の経路を考慮することを可能にする。特に、これは、第１及び第２の介入プロシージャの間、同じ経路に沿って介入装置をナビゲートすることを可能にする。
【図１】
0006480938.tif 000002
【図２】
0006480938.tif 000003
【図３】
0006480938.tif 000004